(57)【特許請求の範囲】
【請求項１】
ウォータークラフトのフィンプラグの装着に適合したフィンにおいて、
フィンプラグがウォータークラフトのフィンに在るベース部分を受け入れて挿入に適したフィンプラグ・キャビティを有しており、
このフィンは、フィンに在るベース部分の側面に対しておおむね平行に延在する弾性ロッドを設け、そして、
このフィンは、前記フィンプラグに装着された時に、突出部材が前記フィンプラグ・キャビティの横凹部に突き出るようにこの突出部材を前記弾性ロッドの周りに設けておき、
フィンに在る前記ベース部分の挿入で前記弾性ロッドの弾性屈曲が起きて、前記突出部材が前記フィンプラグと係止すると共に、前記突出部材が前記弾性ロッドの長手軸の周りで回転し、前記フィンプラグ・キャビティの中にフィンに在る前記ベース部分を受け入れて離脱可能に保持し、
前記突出部材と前記弾性ロッドの曲げと前記フィンプラグに有る前記横凹部との連携作用によって、前記フィンと前記フィンプラグとは互いに噛み合って結合することを特徴とするフィン。
【請求項２】
前記突出部材がリング状部材である請求項１に記載のフィン。
【請求項３】
前記リング状部材が２つの側面間に延在する外周面を有し、この外周面はこの２つの側面間で凸状形状を有する請求項２に記載のフィン。
【請求項４】
前記リング状部材が前記弾性ロッドの周りで回転する請求項２あるいは請求項３に記載のフィン。
【請求項５】
前記リング状部材の外周面がフィンに在る前記ベース部分の側面からはみ出して設けるように、前記弾性ロッドの長手軸が、フィンに在る前記ベース部分の中心に対してオフセットされて取り付けられている請求項２〜４のいずれか一項に記載のフィン。
【請求項６】
前記リング状部材の外側径がフィンに在る前記ベース部分の幅におおむね等しい請求項２〜５のいずれか一項に記載のフィン。
【請求項７】
前記フィンプラグ・キャビティ内に向けてあるいは横向きの少なくともいずれかの作用力を起こすように、且つ前記弾性ロッドの作用の下でフィンに在る前記ベース部分に作用するように、前記突出部材と共に連携し得る横凹部を、前記フィンプラグ・キャビティの側面に設けてあり、
この横凹部の構造によって、前記フィンプラグ・キャビティから前記フィンの離脱を防ぐ請求項１〜６のいずれか一項に記載のフィン。
【請求項８】
前記フィンプラグの側面にある前記横凹部が傾斜面部分を含む請求項７に記載のフィン。
【請求項９】
前記ベース部分の正面部分に、前記フィンプラグ・キャビティ内の少なくとも一つのトラックと係合するために構成した横ピンを設け、そして、バイアスの作用する前記弾性ロッドと突出部材とを、フィンに在る前記ベース部分の後方に設けた請求項１〜８のいずれか一項に記載のフィン。
【請求項１０】
前記少なくとも一つのトラックが前記フィンプラグ・キャビティの側壁の長手方向に延びている請求項９に記載のフィン。
【請求項１１】
前記フィンプラグ内の前記少なくとも一つのトラックが前記フィンプラグ・キャビティの側壁の横凹部を含み、前記横凹部が前記突出部材を受け入れるために作用する請求項９あるいは請求項１０に記載のフィン。
【請求項１２】
フィンに在る前記ベース部分の正面部分を前記フィンプラグ・キャビティの中で保持するために、前記フィンプラグ・キャビティに設けた突き出し部分を受け入れて係合する構造の凹部を、フィンに在る前記ベース部分の前記正面部分に有し、
バイアスの作用する前記弾性ロッドおよび前記突出部材を、フィンに在る前記ベース部分の後部に設けた請求項１〜８のいずれか一項に記載のフィン。
【請求項１３】
フィンに在る前記ベース部分の正面はフィンプラグ・キャビティの正面端面から延びた棚状部分と係止する作用に適用され、前記フィンプラグ・キャビティの後部と係止するために、バイアスの作用する前記弾性ロッドと突出部材はフィンベース部分の後部に設けた請求項１〜８のいずれか一項に記載のフィン。
【請求項１４】
前記突出部材を前記弾性ロッドのおおむね中間点に設けた請求項１〜１３のいずれか一項に記載のフィン。
【請求項１５】
前記弾性ロッドは前記フィン内に在る前記弾性ロッドのおおむね端部で支持され、前記弾性ロッドのおおむね中間で曲げを起こす請求項１〜１４のいずれか一項に記載のフィン。
【請求項１６】
前記弾性ロッドが長手部材である請求項１〜１５のいずれか一項に記載のフィン。
【請求項１７】
前記弾性ロッドの材料は、チタン、鋼材、ステンレス鋼、船舶用鋼、ファイバーグラス、カーボンファイバー、プラスチックや強化エンジニアリングプラスチックの少なくともいずれか１つである請求項１〜１６のいずれか一項に記載のフィン。
【請求項１８】
前記弾性ロッドと前記突出部材は、フィンに在るベース部分に組み込まれたカートリッジに含まれる請求項１〜１７のいずれか一項に記載のフィン。              
【請求項１９】
前記突出部材の外側径は前記カートリッジの幅におおむね等しい請求項１８に記載のフィン。
【請求項２０】
前記突出部材の外周面が前記カートリッジの側面からはみ出して設けるように、前記弾性ロッドの長手軸は前記カートリッジの中心に対してオフセットしている請求項１８あるいは請求項１９に記載のフィン。
【請求項２１】
フィンに在る前記ベース部分の横ピンおよび正面側凹部の少なくとも一つは、前記フィンプラグ・キャビティの内側に在る棚状部分および長手方向トラックのうちの少なくとも一つと噛み合って結合されることを更に含む請求項１〜２０のいずれか一項に記載のフィン。
【請求項２２】
フィンに在る前記ベース部分の底面、正面および後面のうちの少なくとも一つの面をフィンに在る前記ベース部分の対接面にして、そして、前記フィンプラグ・キャビティの後壁、正面壁および底壁のうち少なくとも一つの壁を前記フィンプラグの対接面にして、フィンに在る前記ベース部分の面とフィンプラグの面との対接による噛み合う結合動作を停止させる請求項１〜２１のいずれか一項に記載のフィン。
【請求項２３】
このウォータークラフトはロングボード、スタンドアップ式のパドルボード、大型のサーフクラフト、ショートボードのうち少なくとも一つである請求項１〜２２のいずれか一項に記載のフィン。
【請求項２４】
ウォータークラフトのフィンプラグの装着に適合したカートリッジにおいて、
フィンプラグがカートリッジを受け入れて挿入に適したフィンプラグ・キャビティを有しており、
このカートリッジは、突出部材と弾性ロッドを支持するカートリッジ本体、および、このカートリッジの側面に対しておおむね平行に延在する前記弾性ロッドを設け、そして、
このカートリッジは、前記フィンプラグに装着された時に、前記突出部材が前記フィンプラグ・キャビティに突き出るようにこの突出部材を前記弾性ロッドの周りに設けておき、
前記カートリッジの挿入で前記弾性ロッドの弾性屈曲が起きて、前記突出部材が前記フィンプラグと係止すると共に、前記突出部材が前記弾性ロッドの長手軸の周りで回転し、前記フィンプラグ・キャビティの中に前記カートリッジを受け入れて離脱可能に保持して、
前記フィンプラグ・キャビティ内に向けてあるいは横向きの少なくともいずれかの作用力を起こすように、且つ前記弾性ロッドの作用の下で前記カートリッジに作用するように、前記カートリッジの前記突出部材と共に連携し得る横凹部を、前記フィンプラグ・キャビティの側面に設けてあり、
この横凹部の構造によって、前記フィンプラグ・キャビティから離脱を防ぐことを特徴とするカートリッジ。
【発明の詳細な説明】
【技術分野】
【０００１】
本発明は、フィンプラグを有するウォータークラフトにウォータークラフト・フィンを固定し、サーフボードなどのウォータークラフトに装着してフィンを着脱自在にウォータークラフトに取り付ける固定機構に関する。
【０００２】
また、本発明は、着脱自在にウォータークラフトに取り付けるフィンなどにも関する。
【背景技術】
【０００３】
サーフボードなどのウォータークラフト、特に水上走行時や波乗り時に使用者が立ったり、あるいは膝まずいたり、もしくは座ったりするウォータークラフトの場合、一般に少なくとも一つのフィンをウォータークラフトの下側、一般的にはウォータークラフトのテールエンド付近に設ける。このようなフィンには、多くの機能があり、例示すると、クラフトを目的の方向に走行させる機能、クラフトの旋回を容易にする機能、クラフトの横滑りを防止する機能や、波乗り時にクラフトの動きへの制御を強化する機能などがある。
【０００４】
以下の説明では、主にサーフボードに対象を絞るが、本発明はセールボード、パドルボード、レスキューボード、サーフスキー、カヤックなどのフィンを有する他のウォータークラフト（およびサーフクラフト）にも等しく適用できるものである。
【０００５】
一部のサーフボードの場合、フィンをサーフボードの下側に一体的に形成している。歴史的には、大半のサーフボードはこのような一体的に形成したフィンを有していた。これら一体形成フィンは、一般に、“ガラス嵌め”式である。即ち、一体形成フィンは、ファイバー強化樹脂によってサーフボードの一部として形成されている。このような“ガラス嵌め”式フィンの形成は、作業がやりにくく、ボードのサンドペーパー処理および仕上げ処理をより難しくする。
【０００６】
過去２０年ほどの間に、着脱式フィンを有するフィンシステムをサーフボードに組み込むことが普及してきている。このようなフィンシステムは数多くの利点があり、例示すると、走行中にフィンを取り外すことができる利点、傷ついたフィンの交換が容易である利点、異なる形状や異なるスタイルのフィンを選択的に使用できる利点がある。一般に、これらフィンシステムは、サーフボードの下側に埋設された少なくとも一つのフィンプラグを有し、少なくとも一つのサーフボードフィンを受け入れることができるようになっている。このようなフィンプラグはそれぞれ、一般にサーフボードフィンのベース部分（またはベース部材）を受け入れる開口キャビティを有する。この場合には、フィンの対応するベース部分（またはベース部材）をフィンプラグ（複数の場合もある）のキャビティ（複数の場合もある）に挿入することによってフィンを着脱自在にサーフボードに取り付ける。このような機構を利用した数多くのフィンシステムは公知である。
【０００７】
公知の、広く普及しているフィンシステムは、ＵＳＰ５，４６４，３６９（名義人：Ｆｉｎ  Ｃｏｎｔｒｏｌ  Ｓｙｓｔｅｍｓ  Ｐｔｙ  Ｌｔｄ．）に開示されている。このシステムはフィンを有し、各フィンが２つの突出するベース部材（耳状の突出し部、タブ）を有し、フィン毎に２つのフィンプラグをサーフボードの下側底面に設けている。各フィンプラグは、ベース部材の一つを受け入れるキャビティを有する。また、各フィンプラグは、フィンプラグのキャビティ内にベース部材を固定する止めネジ（ｇｒｕｂ  ｓｃｒｅｗ）を有する。
【０００８】
フィンを確実にサーフボードに固定でき、また望む時にフィンをサーフボードから簡単に取り外すことができるため、上記ＵＳＰ５，４６４，３６９記載のフィンシステムは普及度が高く、広く利用されているが、一つの欠点がある。即ち、フィンの装着およびフィンのフィンプラグからの抜き取りにやや時間がかかる上に、（望む時に）各フィンのベース部材を固定または外す目的で、止めネジの各キャビティへのねじ込みまたは各ネジを外すことが必要なため、ある種の工具（例えばアレンキー：Ａｌｌｅｎ  ｋｅｙ）が必要になる。
【０００９】
上記と同様に機能する別なフィンプラグとしては、ＰＣＴ/ＡＵ２００８/００１１３２（同様に名義人はＦｉｎ  Ｃｏｎｔｒｏｌ  Ｓｙｓｔｅｍｓ  Ｐｔｙ  Ｌｔｄ．である）に開示されているフィンプラグ体がある。ＰＣＴ/ＡＵ２００８/００１１３２に開示されているフィンプラグは、２つの開口キャビティを有し、ここにサーフボードフィンの対応するベース部材を受け入れる。これらベース部材については、（キャビティにねじ込まれ、またはキャビティから抜き取られる）止めネジによって固定するか、あるいは外される。このような止めネジはそれぞれフィンのベース部材の側部を横方向に押圧し、これを所定位置に固定する。
【００１０】
さらに別なフィンシステムが公知であり、サーフボードフィン毎に、単一のキャビティとともに単一のフィンプラグを利用している。一般に、このようなフィンシステムは、きわめて大きなフィンプラグを有し、フィンのベース部材（複数の場合もある）を受け入れる細長いフィンキャビティを有する。このようなフィンシステムの場合、上記と同様に、止めネジ機構によって各フィンをサーフボードに固定する（即ち、フィンのベース部材をフィンプラグのキャビティ内に固定する）。現状でも、ウォータークラフトの下側底面に素早くかつ簡単な上に確実に、好ましくは工具を使用する必要なく、フィンを着脱自在に固定できるウォータークラフト・フィン固定機構が求められている。
【００１１】
本出願人による国際特許出願ＰＣＴ/ＡＵ２０１３/０００７３８（ＷＯ２０１４/００８５２９）には、ウォータークラフト・フィン、フックなどをウォータークラフトに固定する固定機構が開示されている。この固定機構は弾性バイアス作用ロッドと、このバイアス作用ロッドと連携する突出部材を有する。このフィンのベース部分を上記第１開口キャビティに受け入れられた時には突出部材が作動し、バイアス作用ロッドおよび突出部材が上記フィンのベース部分に力を加えるため、フィンが開口キャビティからフィンが抜け出ることはない。
【００１２】
本出願人による国際特許出願ＰＣＴ/ＡＵ２０１３/００１３１４には、一部を変更したフィンプラグ構成が開示されている。このフィンプラグ構成の場合、ウォータークラフトとの結合が向上する。いくつかの実施態様では、ＷＯ２０１４/００８５２９のフィン固定機構を利用することができる。
【００１３】
本発明の目的は、ＷＯ２０１４/００８５２９の開示に基づいて、固定機構の形態を変更することにある。
【００１４】
従って、ＷＯ２０１４/００８５２９およびＰＣＴ/ＡＵ２０１３/００１３１４の内容を援用するものとする。
【００１５】
さらに、本発明は、工具に頼ることなく、上記フィンプラグに簡単かつ素早く着脱できるフィンプラグなどにも関する。
【００１６】
本明細書において、参考にしたりあるいは論じたりする資料や説明事項あるいは認識事項に関して、これらの資料、説明または論述やその組み合わせが、優先権主張日の時点において、
ａ）一般的な常識の一部、あるいは
ｂ）本明細書が対象とする任意の課題を解決する試みについて、それが周知であったものとして認めるものではない。
【００１７】
公知従来例に言及する場合、特に反対意見を示さない限り、このような従来例が、本発明の対象分野の当業者に、本出願の優先権主張日において、共通して知られていたことを認めるわけではない。
【先行技術文献】
【特許文献】
【００１８】
【特許文献１】ＵＳＰ５，４６４，３６９
【特許文献２】ＰＣＴ/ＡＵ２００８/００１１３２
【特許文献３】ＰＣＴ/ＡＵ２０１３/０００７３８（ＷＯ２０１４/００８５２９）
【特許文献４】ＰＣＴ/ＡＵ２０１３/００１３１４
【発明の概要】
【００１９】
本発明の第１形態は、ウォータークラフト・フィンのベース部分を受け入れる第１開口キャビティを設けたフィンプラグを有するウォータークラフトにおいて、ウォータークラフト・フィンを固定する固定機構であり、さらに、弾性バイアス作用ロッド（ｂｉａｓｉｎｇ  ｒｏｄ）と、このバイアス作用ロッドと連携する突出部材を有し、上記フィンの上記ベース部分を上記第１開口キャビティに受け入れられた時にはこの突出部材が作動して、上記バイアス作用ロッドおよび突出部材が上記フィンの上記ベース部分に力を加えて、上記第１開口キャビティから上記フィンが抜け出ることを抑制する固定機構を提供するものである。
【００２０】
上記バイアス作用ロッドは、上記フィンの上記ベース部分の側面に対して実質的に平行に延長する。
【００２１】
第１実施例形態では、上記バイアス作用ロッドおよび突出部材を上記フィンに、好ましくは上記フィンのベース部分に組み合わせて、上記ウォータークラフトのフィンプラグと連携させる。
【００２２】
上記バイアス作用ロッドについては、上記フィンベースに形成したキャビティに嵌合するカートリッジに組み込むことができる。このカートリッジの場合、上記バイアス作用ロッドおよび突出部材を支持するキャビティを形成したカートリッジ本体を有する。
【００２３】
本発明のさらに別な実施例形態は、ウォータークラフトのフィンプラグであって、ウォータークラフト・フィンのベース部分を受け入れる第１開口キャビティを有するフィンプラグに装着するフィンにおいて、弾性バイアス作用ロッドと、このバイアス作用ロッドと連携する突出部材を有し、この突出部材が、バイアス作用ロッドによって作動した時にフィンベース部分から突出して、上記フィンプラグに係合し、力を上記フィンのベース部分に加えて、上記フィンの上記第１開口キャビティからの抜け出しを抑制するフィンを提供するものである。
【００２４】
バイアス作用ロッドは、全体的に、上記フィンの上記ベース部分の側面に対して実質的に平行に延長/延在する。バイアス作用ロッドの配置方向もウォータークラフトの平面に対して実質的に平行であることが好ましい。
【００２５】
バイアス作用ロッドについては、チタン、鋼（例えば船舶用鋼）、ファイバーグラス、カーボンファイバーや（強化エンジニアリングプラスチックを始めとする）プラスチックなどの任意の適当な材料から形成することができる。特に好ましいのは、チタン製バイアス作用ロッドである。
【００２６】
突出部材については、フィンプラグ・キャビティの側面に当接するのが好ましい。
【００２７】
特に好適な実施態様では、フィンプラグの第１キャビティの側面が、突出部材と連携して、フィンをフィンプラグ・キャビティ内に保持する横凹部を有する。バイアス作用ロッドによって、フィンベース部分がフィンプラグ・キャビティに押し込まれた時に、突出部材がこのキャビティの横凹部に“スナップ嵌合”するのが好ましい。
【００２８】
一般に、フィンおよびフィンプラグは前方領域と後方領域とを有し、そしてフィンプラグについては、追加のフィン抜け出し抑制手段を設けるのが好ましい。また、突出部材については、後方領域に設けるのが好ましい。
【００２９】
追加のフィン抜け出し抑制手段については、フィン係合手段を有するのが好ましく、このフィン係合手段については、フィンベースの前方部分の横ピンなどの側方突出部を受け入れるスロットまたは溝を有するのが好ましい。
【００３０】
本発明の別な形態では、固定機構は、全体としてＷＯ２０１４/００８５２９に開示されているように、フィンプラグに組み込むことが可能である。
【００３１】
特に好適な実施態様では、突出部材は、上記バイアス作用ロッド周囲に設けたリング状部材である。このリング状部材については、上記バイアス作用ロッドを中心にして回転できるのが好ましく、またその外周面が２つの側面間に拡大するのが好ましい。この外周面は、これら２つの側面間において凸状形状を有する。この凸状構成のため、ウォータークラフトのフィンプラグの側面への係合時にリング状部材に加わる荷重または力が、リング状部材全体により均質に分散する。このリング状部材については、転動または回動し、これによってプラグの摩耗を抑え、フィンのプラグへの着脱を“よりスムーズ”にするのが好ましい。
【００３２】
リング状部材については、例えば、耐久性があり、また非腐食性のポリマー/プラスチック材から形成するが、多数の他の適当な材料も使用可能である。
アセタールはこのリング状部材として特に適切な材料である。アセタールは使用に際して機械加工に適し且つ高剛性であり、高い高張力の有る比較的硬質の工業用プラスチックの一般用語である。
【００３３】
例えば、バイアス作用ロッドおよび突出部材をフィンに形成した本発明の実施態様の場合、例えば比較的厚みのあるフィンを有し、固定機構を装着するために厚みのあるフィンをベース部分に設けたロングボード（ｌｏｎｇｂｏａｒｄ）やスタンドアップ式のパドルボードなどの大型のサーフクラフトに装着できるが、フィン装着式の実施態様は、例えばフィンベース部分をフィン本体よりも厚くし、これに対応してフィンプラグのキャビティの幅を変更することによって、比較的小型のショートボード（ｓｈｏｒｔｂｏａｒｄ）にも適用できる。本発明の第２態様は、本明細書に開示の上記実施態様によるフィンプラグを受け入れるウォータークラフトフィンプラグに関する。
【００３４】
本発明の第３態様は、上記のようなフィンプラグおよび上記のようなウォータークラフトを有し、サーフクラフトを使用対象としたフィンプラグおよびウォータクラフトフィンキットに関する
【００３５】
本発明の第４態様は、上記のような固定機構を有するベース部分を有するウォータークラフト取り付け装置に関する。
【００３６】
好適な実施態様では、ウォータークラフト取り付け装置は、この取り付け装置を支持構造体に接続する支持接続要素を有する。この支持接続要素は、ウォータークラフト取り付け装置を支持ロッド（例えば、水平支持ロッドなど）に接続するフック要素を有することができる。フック要素などの支持接続要素は、取り付け装置の中間部分によってウォータークラフト取り付け装置のベース部分から分離することができる。
【００３７】
本発明のこの態様のさらに好ましい具体的な実施態様では、フック要素は、ベース部分の面に対して直角な面内に存在する。
【００３８】
例えば、上記ウォータークラフト取り付け装置は、サーフボードやその他のサーフクラフトに使用することができる。
【００３９】
本発明の第４態様の上記好適な実施態様の場合、フック要素を有するウォータークラフト取り付け装置をサーフボード（やその他のウォータークラフト）に取り付けることができるため、次に、サーフボード（やその他のウォータークラフト）を支持ロッド（例えば、水平支持ロッドなど）から吊り下げ、これを支持できる。上記の好適な実施態様の場合、フック要素がベース部分の面に対して直角な面内に存在するため、多数のサーフボードをサンドウィッチ状態で支持ロッドから吊り下げ、これらを支持でき、これによって多数のサーフボードを支持ロッドに格納できる。
【００４０】
上記説明から理解できるように、（また以下に説明するように）、ウォータークラフト・フィンやその他のウォータークラフト取り付け装置は、上記の技術文献の記載に従って、フィンプラグに簡単に取り付けることができる。
【００４１】
この取り付けを行うさいには、ウォータークラフト・フィンの場合、フィンのベース部分をフィンプラグの第１開口キャビティ内に挿入すればよい。このためには、例えば、フィンの前方部分（例えばフィン部分）をフィンプラグのフィン係合手段に係合してから、フィンの後方部分をフィンプラグに向けて下方に回転すればよく、フィンのベース部分が開口キャビティ内に延入し、このベース部分の突出手段をフィンプラグ・キャビティの横凹部に突入する。
【００４２】
（上記のような）フック要素などの別なウォータークラフト取り付け装置の場合、取り付けを行うさいには、取り付け装置のベース部分をフィンプラグの第１開口キャビティ内に挿入すればよい。このためには、例えば、取り付け装置の前方部分をフィンプラグのフィン係合手段に係合してから、取り付け装置の後方部分をフィンプラグに向けて下方に回転すればよく、取り付け装置のベース部分の固定機構が、上記と同様に作動する。
【００４３】
上記実施態様においては、バイアス作用ロッドおよび突出部材はそれぞれ細長い弾性部材および球根状部分である。この球根状部分は、細長いロッドの周囲に形成した車輪状部材の一部であり、この車輪状部材は、フィンの装着時および/またはフィンの取り外し時、フィンおよびフィンプラグが係合した時に、ロッドを中心にして回転する。従って、フィンを装着した後は、フィンベース部分をフィンプラグ・キャビティに保持することができる。
【００４４】
また、バイアス作用ロッドおよび突出部材は、フィンまたはフィンプラグの一つに組み込むことができ、この場合フィンまたはフィンプラグの他方は、溝付き部分（または傾斜部分を有することができ、この溝付き部分（または傾斜部分）が突出部分に係合する。
【００４５】
車輪状部材の表面は、溝付き部分内に着座するか（あるいは傾斜部分に対して着座する）。
【００４６】
本発明の他の形態および実施態様は、以下の説明、添付図面、および特許請求の範囲の記載から明らかになるはずである。
【００４７】
また、本明細書に記載した特徴は、それぞれ個々に説明した装置、およびこれら装置の各種の組み合わせによって実現できる。
【図面の簡単な説明】
【００４８】
以下、添付図面を参照して、本発明の第１態様の装置/フィンプラグに組み込んだ固定機構の好適な実施態様を詳細に説明する。
【００４９】
【図１】図１Ａおよび図１Ｂは、実施例のフィンおよびフィンプラグ組立体の斜視図（展開図）である。図１Ｂでは、正接縁部を破線で示す。この実施態様は、本開示およびＷＯ２０１４/００８５２９開示と共通する。
【図２Ａ】実施例のセンターフィンおよびフィンプラグ組立体の測横断面図である。
【図２Ｂ】図２Ａのフィンおよびフィンプラグ組立体の斜視図である。
【図２Ｃ】図２Ａのフィンおよびフィンプラグ組立体の横断正面図である。
【図２Ｄ】図２Ａのフィンおよびフィンプラグ組立体の側面図である。
【図２Ｅ】図２Ａのフィンおよびフィンプラグ組立体の正面図である。
【図２Ｆ】図２Ａのフィンおよびフィンプラグ組立体の背面図である。
【図２Ｇ】図２Ａのフィンおよびフィンプラグ組立体の底面斜視図である。
【図２Ｈ】図２Ａのフィンおよびフィンプラグ組立体の上面図である。
【図２Ｉ】図２Ａのフィンおよびフィンプラグ組立体の底面図である。
【図３Ａ】フィンを装置に挿入した状態の、図２Ａのフィンおよびフィンプラグ組立体の測横断面図である。
【図３Ｂ】図３Ａのフィンおよびフィンプラグ組立体の上面斜視図である。
【図３Ｃ】図３Ａのフィンおよびフィンプラグ組立体の正面横断面図である。
【図４Ａ】実施例の右側におけるフィンおよびフィンプラグ組立体の測横断面図である。
【図４Ｂ】図４Ａのフィンおよびフィンプラグ組立体の背面図である。
【図４Ｃ】Ｃ−Ｃ線に沿って見た図４Ａのフィンおよびフィンプラグ組立体の横断面正面図である。
【図４Ｄ】図４Ａのフィンおよびフィンプラグ組立体の側面図である。
【図４Ｅ】図４Ａのフィンおよびフィンプラグ組立体の底面斜視図である。
【図４Ｆ】装置によってフィンが受け入れられた状態にある、図４Ａのフィンおよびフィンプラグ組立体の横断側面図である。
【図４Ｇ】図４Ｆのフィンおよびフィンプラグ組立体の上面斜視図である。
【図５Ａ】フィンおよびフィンプラグ組立体の実施例の左側を示す側横断面図である。
【図５Ｂ】図５Ａのフィンおよびフィンプラグ組立体の背面図である。
【図５Ｃ】図５Ａのフィンおよびフィンプラグ組立体の横断正面図である。
【図５Ｄ】図５Ａのフィンおよびフィンプラグ組立体の側面図である。
【図５Ｅ】図５Ａのフィンおよびフィンプラグ組立体の底面斜視図である。
【図５Ｆ】装置によってフィンが受け入れられた状態にある、図５Ａのフィンおよびフィンプラグ組立体の横断側面図である。
【図５Ｇ】図５Ｆのフィンおよびフィンプラグ組立体の上面斜視図である。
【図６Ａ】実施例の装置またはフィンプラグの上面斜視図である。
【図６Ｂ】図６Ａの装置またはフィンプラグの別な上面斜視図である。
【図６Ｃ】図６Ａの装置またはフィンプラグの底面斜視図である。
【図６Ｄ】図６Ａの装置またはフィンプラグの別な底面斜視図である。
【図６Ｅ】図６Ａの装置またはフィンプラグの上面正面図である。
【図６Ｆ】図６Ａの装置またはフィンプラグの底面正面図である。
【図６Ｇ】図６Ａの装置またはフィンプラグの側面正面図である。
【図６Ｈ】図６Ａの装置またはフィンプラグの別な側面正面図である。
【図６Ｉ】図６Ａの装置またはフィンプラグの背端面正面図である。
【図６Ｊ】図６Ａの装置またはフィンプラグの正面端面図である。
【図６Ｋ】断面線Ａ−Ａに沿って見た、図６Ｈの装置またはフィンプラグの横断面図である。
【図６Ｌ】断面線Ｂ−Ｂに沿って見た、図６Ｉの装置またはフィンプラグの横断面図である。
【図６Ｍ】断面線Ｃ−Ｃに沿って見た、図６Jの装置またはフィンプラグの横断面図である。
【図６Ｎ】キャップ６０を取り外した状態の、図６Ａの装置またはフィンプラグの上面斜視図である。
【図６Ｏ】図６Ａの装置またはフィンプラグの展開図である。
【図６Ｐ】図６Ａの装置またはフィンプラグの別な展開図である。
【図７Ａ】実施例の右側装置またはフィンプラグの上面斜視図である。
【図７Ｂ】図７Ａの装置またはフィンプラグの正面横断面図である。
【図７Ｃ】図７Ａの装置またはフィンプラグの上面横断面図である。
【図７Ｄ】図７Ａの装置またはフィンプラグの側面横断面図である。
【図８Ａ】実施例の左側装置またはフィンプラグの上面斜視図である。
【図８Ｂ】図８Ａの装置またはフィンプラグの正面横断面図である。
【図８Ｃ】図８Ａの装置またはフィンプラグの上面横断面図である。
【図８Ｄ】図８Ａの装置またはフィンプラグの側面横断面図である。
【図９Ａ】本明細書に記載する装置またはフィンプラグに使用できる実施例のフィンの側面図である。
【図９Ｂ】図９Ａのフィンの上面斜視図である。
【図９Ｃ】図９Ａのフィンの底面斜視図である。
【図９Ｄ】図９Ａのフィンの正面図である。
【図９Ｅ】図９Ａのフィンの背面図である。
【図９Ｆ】図９Ａのフィンの横断面図である。
【図９Ｇ】図９Ａのフィンの上面図である。
【図９Ｈ】図９Ａのフィンの底面図である。
【図１０Ａ】本明細書に記載する装置またはフィンプラグに使用できる実施例の右側フィンの側面図である。
【図１０Ｂ】図１０Ａのフィンの横断面図である。
【図１０Ｃ】図１０Ａのフィンの背面図である。
【図１０Ｄ】図１０Ａのフィンの上面斜視図である。
【図１１Ａ】本明細書に記載する装置またはフィンプラグに使用できる実施例の左側フィンの側面図である。
【図１Ｂ】１１Ａのフィンの横断面図である。
【図１１Ｃ】図１１Ａのフィンの背面図である。
【図１１Ｄ】図１１Ａのフィンの上面斜視図である
【図１２Ａ−１５Ｄ】図１２Ａ−図１５Ｄは固定機構をフィンベース部分に組み込んだ別な機構を示す図である。  図１２Ａ−図１２Ｃは、フィンベース部分または他の装置に嵌合できる固定機構要素を利用したカートリッジの構成または組立構成を示す一連の図である。
【図１３Ａ−１３Ｄ】図１３Ａ−図１３Ｄはフィンのベース部分に装着した状態のカートリッジを示す一連の図である。
【図１４Ａ−１４Ｅ】図１４Ａ−図１４Ｅはカートリッジを利用したフィンを示す直交図および正面断面図である。
【図１５Ａ−１５Ｃ】図１５Ａ−図１５Ｃはウォータークラフトに装着した状態のフィンを示す図である。
【図１５Ｄ】フィンベース内の固定機構の、中心からずれた位置、およびフィンプラグとの係合を示す断面図である。
【図１６Ａ−１６Ｃ】図１６Ａ−図１６Ｃは弾性バイアス作用ロッドおよび突出部材を直接装着したフィンの構成および組立構成を示す一連の図である。
【発明を実施するための形態】
【００５０】
装置またはフィンプラグ１０に組み込んだ固定機構の一実施例を図１Ａおよび図１Ｂに示す
【００５１】
この具体的な実施例では、装置１０は、サーフボードなどの（図示省略）のウォータークラフトの第１フィン部分１５を保持するために使用する。装置１０は、ウォータークラフトと一体化できるように、あるいはこれに挿入できるように形成する。
【００５２】
図１Ａおよび図１Ｂに示すように、装置１０は第１キャビティ２０を有し、このキャビティはキャビティ壁２５（以下に説明する）を有する。また、装置１０は細長い弾性部材３０を有し、この部材については、キャビティ壁２５の細長い側部に少なくとも部分的にそって設ければよい。図１に示すように、細長い弾性部材３０は拡大部分３５を有し、この拡大部分３５はキャビティ壁２５の細長い側部の凹部４０または開口を介して弾性部材３０から延長する。
【００５３】
即ち、第１フィン部分１５を第１キャビティ２０に挿入すると、細長い弾性部材３０および/または拡大部分３５が第１フィン部分１５に力を加えるため、第１フィン部分１５を第１キャビティ２０内に保持できる。
【００５４】
このように、一つの具体的な実施例では、細長い弾性部材３０として弾性ロッドまたは弾性ピンを使用でき、この拡大部分３５は球根状部分（球状部）４５を有し、この球根状部分４５については、第１フィン部分１５と係合するように形成する。別な実施例では、この球根状部分４５は、細長いロッド３０の周囲に形成した車輪状部材の一部を構成する。この車輪状部材３５については、第１フィン部分１５との係合時にロッド３０の周囲上で移動し、第１キャビティ２０内に第１フィン部分を保持する。
【００５５】
図１Ａおよび図１Ｂには、例えば、ロッド３０がピンなどの場合を示す。このピンは、バネとして作用し、これによって車輪状部材３５がバレルとして作用するため、フィン５０を所定位置に保持した箱状体にできる。また図１には、ロッド３０を装置に挿入した後は、ロッドをエンドプラグ５５などによって封止できることを示す。このプラグ５５を使用するため、ロッド３０が装置１０から外れことはない。
【００５６】
さらに図１Ａおよび図１Ｂに示すように、装置１０には一つかそれ以上のキャップ５５、５７、６０を設けることができ、装置１０への拡大部分３５を封止できる。一つの具体的な実施例では、例えば、エンドキャップ５５を水密構成にし、ロッド３０および拡大部分３５の両者を保持できる構成にする。サイドキャップ５７は適宜使用するものであり、サイドキャップ５７が封止する開口を使用しなくてもロッド３０および拡大部分３５を装着できる。図６Ｎに、サイドキャップ５７を使用しないフィンプラグ１０の一実施態様を示す。
【００５７】
さらに別な実施例では、第１フィン部分１５のサイドフィン面７０に溝付き部分６５を有する。この溝付き部分６５は、例えば、拡大部分３５に係合する構成である。このように、一実施例では、例えば湾曲面である車輪状部材３５の表面は、溝付き部分６５に着座する構成を取る。
【００５８】
なお、上記の溝付き部分６５については、拡大部分３５の湾曲面に実質的に一致、もしくは噛み合うように形成、もしくは構成できるが、厳格な一致、もしくは噛み合いは必ずしも必要ない。これら実施例では、溝付き部分６５は、拡大部分３５上を転動し、拡大部分３５が第１フィン部分１５を第１キャビティ２０に固着する。また、固着作用が発生し、第１フィン部分１５をキャビティ内に押し込むと、ロッド３０が屈曲し、拡大部分３５に力が加わった時に、わずかに屈曲した状態を維持でき、引き続き力を溝付き部分６５に加えるため、第１フィン部分１５を第１キャビティ２０内に維持することができる。一つの具体的な実施例では、横向きの力および/または下向きの力を加えて、第１フィン部分１５を装置１０内に維持することができる。
【００５９】
一つの具体的な実施例では、フィン５０を装置１０内に挿入すると、第２フィン部分９０が最初に挿入され、第２フィン部分９０の凹部８５が、（第２キャビティ７５内の）装置１０の突出部分８０と係合する。第２フィン部分９０が所定位置に設定された後は、溝６５が、第１キャビティ２０に少なくとも部分的に存在する拡大部分３５に係合するように、フィン５０を押し下げることによって第１フィン部分１５を第１キャビティ２０に固着する。
【００６０】
このように、さらに別な実施例では、図１Ａおよび図１Ｂを参照して説明するように、フィンプラグ１０をウォータークラフト（図示省略）に装着する。このフィンプラグ１０はウォータークラフト・フィン５０のベース部分１８を受け入れる第１開口キャビティ２０、弾性バイアス作用ロッド３０、およびこのバイアス作用ロッド３０と連携する突出部材（拡大部分と呼ぶこともある）３５を有する。突出部材３５は、この第１開口キャビティ２０内に受け入れられた時に、フィン５０のベース部分１８に当接するように構成する。従って、バイアス作用ロッド３０および突出部材３５は、所定の力をこのフィン５０のベース部分１８に加え、フィン５０が第１開口キャビティ２０から抜け出ることを抑制する。
【００６１】
図１Ａおよび図１Ｂに示すように、バイアス作用ロッド３０は、フィンプラグ１０に挿入された時に、第１開口キャビティ２０に隣接配置される。一つの具体的な実施例では、バイアス作用ロッド３０は、フィン５０のベース部分１８の側面１６に対して実質的に平行に延長するため、突出部材３５はこの側面１６に当接できる。
【００６２】
また、フィンプラグ１０は横キャビティ２２を有し、この横キャビティ２２内にバイアス作用ロッド３０を設ける。このように、横キャビティ２２および第１開口キャビティ２０は、開口付き壁（キャビティ壁とも呼ぶ）によって分離され、突出部材３５の一部が壁２０内の開口（または凹部）４０を介して第１開口キャビティ２０内に突出延長する。
【００６３】
上記側面１６には、傾斜面部分（溝付き部分とも呼ぶ）６５を配設できる。この傾斜面部分６５は、突出部材３５と連携し、第１開口キャビティ２０内に内向きに作用する力を、バイアス作用ロッド３０の作用の下でベース部分１８に加える。
【００６４】
一つの具体的な実施例では、フィンプラグ１０には前方領域１２および後方領域１４を設けることができ、突出部材３５は、例えば、この後方領域１４に設ける。
【００６５】
また、フィンプラグ１０の前方領域１２には、追加のフィン抜け出し抑制手段を設けることができる。この追加のフィン抜け出し抑制手段はフィン係合手段を有し、この手段は棚状の突出部分（突出部分とも呼ぶ）８０を有し、フィン部分（凹部とも呼ぶ）８５の上に重なり、ベース部分１８が第１開口キャビティ２０内に受け入れられた時にフィン５０の移動を抑制するようになっている。
【００６６】
本明細書に説明するように、フィンプラグ１０には、第２開口キャビティ７５を設けることができる。従って、第１開口キャビティ２０が、フィン５０のベース部分１８の第１タブを受け入れ、そして第２開口キャビティ７５が、フィン５０のベース部分１８の第２タブを受け入れることになる。この具体的な実施例では、後方領域１４内に第１開口キャビティ２０を設け、そして前方領域１２内に第２開口キャビティを設ける。さらに、フィン５０のベース部分の傾斜面部６５を第１タブに設ける。加えて、第２開口キャビティ内に棚状部分８０を設けることができ、フィン５０のベース部分の第２タブにフィン部分を設けることができる。
【００６７】
棚状部分は、第２開口キャビティの一端から延長する棚部を有し、この棚部と第２開口キャビティのベース面との間に凹部を形成する。この凹部が、例えばＷＯ２０１４/００８５２９の図１２Ａ〜図１２Ｈに図示されているように、フィン部分を受け入れる。
【００６８】
本明細書に記載するように、拡大部材/突出部材３５は、バイアス作用ロッド３０の周囲に設けた車輪状部材でもよく、あるいはリング状部材でもよい。一つの具体的な実施例では、リング状部材は上記バイアス作用ロッドを中心にして回転できる。さらに別な実施例では、リング状部材は必ずしも円筒形である必要はなく、２つの側面間に外周面が拡大するものでもよく、この外周面は両側面間において凸状になっている。
【００６９】
さらに別な実施例では、具体的に図２Ａ、図３Ａ、図４Ａ、図４Ｆ、図５Ａおよび図５Ｆに示すように、装置１０には第２キャビティ７５を設けることも可能である。第２キャビティ７５は突出部８０を有し、この突出部８０は、第２フィン部分９０の凹部８５に挿入され、これと噛み合うように構成し、これによって第２キャビティ７５内に第２フィン部分９０を保持する。
【００７０】
このように、例えば、突出部分８０および凹部８５の組み合わせあるいはその一方が、そして、拡大部分３５および第１フィン部分１５の組み合わせあるいはその一方がかみあって固着し、フィン５０を装置１０内に強固に保持できる。
【００７１】
なお、当業者ならば、多数の異なる機械的要素/固定手段によって第２フィン部分９０を第２キャビティ７５内に保持できることを理解できるはずである。以下、第２フィン部分９０を第２キャビティ７５に固定/保持する固定手段の実施例について説明する。
【００７２】
図示の実施例では、第１キャビティ１５および第２キャビティ７５は、装置１０内において２つの別個のキャビティを構成する。なお、これらキャビティは場合に応じて一つの細長いキャビティ（図示省略）を一部であってもよいが、２つの別個なキャビティを維持するほうが作用効果上有利である。即ち、２つのキャビティ間のブリッジ９５によって、第１キャビティ２０および第２キャビティ７５それぞれにおいて第１フィン部分１５および第２フィン部分９０をより強固に保持できるようになる。さらに、このブリッジには、ウォータークラフト・フィンの下面に当接する上面を有するブリッジ部分を設けることができる。
【００７３】
なお、当業者ならば、サーフボードなどの多数のウォータークラフトには一つかそれ以上のフィンを設けることが可能なことを理解できるはずである。一つの具体的な実施例では、サーフボードにはセンターフィンおよび２つのサイドフィン（サーフボード最下部にテールをもつサーフボードの下側から見た場合には左側フィンおよび右側フィンと呼ぶことができる）を設けることができる。このように、本明細書に記載の特徴は任意のフィンに適用可能であるが、ウォータークラフトの場合、フィンの位置（センターフィン、右側フィンまたは左側フィン）に応じて一部に微小な変更を加えることが可能である。
【００７４】
このような変更の一例は、図２Ｃ、図４Ｃおよび図５Ｃを比較することによって理解が可能である。これら実施例において、図２Ａ〜図３Ｃはセンターフィン５０の一例を示す。図２Ｃに示すように、フィン５０は装置１０に対して実質的に垂直である。これとは対照的に、図４Ｃおよび図５Ｃのフィン５０は装置１０の垂線に対してある角度を有する。図４Ｃは右側フィンの一例であり、そして図５Ｃは左側フィンの一例である。図示のフィンは垂線に対して任意の角度で挿入できる構成であるが、一つの具体的な実施例では、この角度は垂線から７〜９度である。
【００７５】
従って、装置１０の場合、異なる挿入角度に応じて一部を変更することが可能である。図４Ｃおよび図５Ｃに示すように、（例えば拡大部分３５が突出するキャビティ壁である）キャビティ壁２５に対向する第１キャビティ１５の対向壁２８に角度を付けることが可能である。
【００７６】
さらに別な実施例について説明すると、図６Ａ〜図６Ｐに装置またはフィンプラグ１０の一例を示す。この例の装置１０は例えばセンターフィンに使用することができる。当業者ならば、図６Ｎに示すように、拡大部分３５は、これがフィン５０の対応する溝付き部分６５に簡単に噛み合うことができる位置においてキャビティ壁２５から突出していることを理解できるはずである。このように、拡大部分３５の場合、キャビティ壁２５の中心において突出する必要は必ずしもなく、この具体的な実施例によれば、センターからずれていてもよい。
【００７７】
さらに、装置１０には止めネジやその他の適当な固定手段による固定点９８を設け、装置１０にフィン５０を固定する。なお、止めネジやその他の適当な固定手段を使用すると、異なる型式のフィンを装置１０に固定できる。このように、この具体的な実施例では、第１キャビティ２０内に延入するように止めネジを構成でき、第１キャビティ２０内へのフィン５０のベース部分の固定をさらに強固にできる。第２キャビティ７５にも同様な止めネジを使用することができる。この場合にも、第２キャビティ７５に延入できるように止めネジを構成でき、第２キャビティ７５内へのフィン５０のタブ、ベース部分などの固定をさらに強固にできる。
【００７８】
図７Ａ〜図７Ｄに、右側フィンに使用できる装置１０の実施例を示し、さらに図８Ａ〜図８Ｄに、左側フィンに使用する装置１０の実施例を示す。これら図において特に留意すべきは、（左側フィン、右側フィンなどの）サイドフィンに使用する実施例の場合、これらが相互の鏡像になるように形成することである。さらに、図７Ｂおよび図８Ｂには、対向壁２８に角度を付けて、それぞれのフィンをこれらの角度で挿入できる実施例を示す。
【００７９】
図示の実施例では、装置１０の少なくとも一つの形状が実質的に数字の８の形になるように実質的に数字の８の形として構成する。これら実施例では、第１キャビティ１５は数字の８の形の第１端部１２内に設けるか形成し、そして第２キャビティ７５は数字の８の形の第２端部１４内に形成する。
【００８０】
なお、当業者ならば、装置１０が取る数字の８の形によって、装置１０がウォータークラフトの一部になり、フィン部分をこの部分に固定できる作用効果が得られる。また、数字の８の形の縁部が平滑になるため、製造が容易になる。なお、装置はこの形状に制限されず、キャビティの機能を確保できる他の形状も本発明に利用可能である。
【００８１】
図９Ａ〜図９Ｈに、センター装置１０に使用するセンターフィン５０の実施例を示す。図１０Ａ〜図１０Ｄに右側フィン５０の実施例を、そして図１１Ａ〜図１１Ｄに左側フィン５０の実施例を示す。なお、左側フィンおよび右側フィンは相互の鏡像である。
【００８２】
特にフィン５０について説明すると、第１フィン部分１５および第２フィン部分９０は、それぞれ第１タブおよび第２タブであってもよく、あるいはこれらタブを有する部分であってもよいが、フィン５０のベース部分については、第１キャビティ２０および第２キャビティ７５内に挿入できるように構成する。
【００８３】
固定用フィンプラグ機構の各種変形例は、本明細書に援用するＷＯ２０１４/００８５２９に開示されている。
【００８４】
図１２Ａ〜図１５Ｄおよび図１６Ａ〜図１６Ｃに、ウォータークラフトのフィンに使用する固定機構の２つの異なる実施態様を示す。
【００８５】
図１２Ａ〜図１５Ｄに示すように、固定機構はカートリッジ４０００またはカセットに形成し、このカートリッジまたはカセットをフィン４０５０のベース部分４０１８に装着する。
【００８６】
上記カートリッジを組み立て順に図１２Ａ〜図１２Ｃに示す。
【００８７】
カートリッジ４０００は、弾性バイアス作用ロッド４０３０および車輪状突出部材４０３５の支持フレーム構造になる外側カートリッジ本体４００２からなり、これらは組立時カートリッジの、部材４０３０を収容する幅広の中心部分４００６を形成した側部開口キャビティ４００４内に着座する。
【００８８】
キャビティの端部には、バイアス作用ロッドの端部を支持する端面穴４００８および４００９を形成する。これら端面穴４００８のうち一つは、カートリッジの組立時にロッドを挿入できる貫通穴に通す。もう一つの端面穴４００９は、貫通穴か止め穴のいずれかに通すことができる。
【００８９】
図１３Ａ〜図１３Ｃおよび断面図１４Ｄおよび１５Ｄからよく理解できるように、車輪状突出部材の直径はカートリッジ本体４００２の幅に一致しているのが好ましく、バイアス作用ロッド４０３０は、その軸線を中心からずらしてカートリッジに支持しているため、突出部材４０３５の一部はカートリッジの側部を超えて突き出て、そして装着時には、フィンベース部分の側部を超えて突き出す。
【００９０】
弾性ロッド４０３０および車輪状突出部材４０３５の構成は、例えば図１Ａおよび図１Ｂを参照して説明した構成と同様である。
【００９１】
カートリッジ本体４００２には、重量を減らすために小さな穴を形成することができ、またカートリッジ本体４００２は任意の適当な材料から、任意の適当な手段によって形成することができる。例えば、ガラス充填ナイロン、ＡＢＳ、アセタールなどのプラスチック材から成型することができる。
【００９２】
図１３Ａ〜図１３Ｄは、フィン４０５０のベース部分４０１８内へのカートリッジの装着を示す図であり、そして図１４Ａ〜図１４Ｅは、固定機構カートリッジ４０００をフィンベース内に装着したフィン４０５０を示す図である。
【００９３】
ベース部分４０１８の後部は、カートリッジを受け入れるために大きく、細長いキャビティ４０１４を有し、カートリッジは摩擦嵌合/締まり嵌めによって所定位置に固定することができ、あるいは接着剤や溶接によって所定位置に固定することができる。ベース部分４０１８内のより小さな穴４０１６は軽量化を図るものである。
【００９４】
カートリッジの幅については、これを装着すべきフィンベースの幅よりも広くならないようにするのが好ましく、またカートリッジの上部はスロットの対応する幅よりもわずかに広くするのが好ましく、これら部分が噛み合った時には、締まり嵌めが生じる。このため、フィンベースとスロットの嵌合がより強くなり、ベースの小さな動き（サーファーからフィンへのエネルギーのスムーズな伝達にとっては望ましい属性である）が抑制されることになる。
【００９５】
フィンベース部分の正面には、横ピン４０１９があり、このピンはフィンベースの両側において突出し、フィンプラグの側面のトラックに係合し、フィンの正面をフィンプラグ内に固定する。
【００９６】
図１５Ａ〜図１５Ｃは、図１３Ａ〜図１４Ｅのフィンをサーフクラフトのフィンプラグに装着するシーケンスを示す図である。
【００９７】
図１５Ａに示すように、フィンプラグに所定角度でフィンを挿入し、横ピン４０１９の突出部分をフィンキャビティの両側の長手方向トラック４０２１に送り込む。
【００９８】
次に、ピンを前進させ、フィンベース部分の正面がフィンプラグ・キャビティ内の目的位置に達するまで、トラック４０２１にそってピン４０１９を進める。次に、フィンの後部を下にピボット動作させて（図１５Ｂ）、固定機構に係合する。固定機構の車輪状突出部材４０３５がフィンプラグ・キャビティ４０２０の側面４０２３に接触すると、ロッド４０３０が弾性屈曲し、部材４０３５が内向きに乗り上げ、フィンプラグ・キャビティの側面に切り欠き形成した横凹部４０６５にスナップ嵌合する（図１５Ｄ）。
【００９９】
フィンの完全挿入時には、弾性ロッド４０３０がわずかに屈曲した状態になり、ロッド４０３０が発生するバネ力によって、部材４０３５が切り欠き凹部内に強く保持され、フィンをフィンプラグに固定し、この固定状態を継続する。
【０１００】
フィンベースおよびフィンプラグ・キャビティンとの間に横方向力が発生することに加えて、部材４０３５と切り欠き凹部との係合によって、フィンには下向きの力ベクトルが発生し、フィンベースの底面をフィンプラグ・キャビティのベース（底部位）に押し付け、小さなテーパーのカートリッジがフィンプラグ・キャビティの側部に締まり嵌め係合する。このため、ウォータークラフトのフィン係合が安定化する。
【０１０１】
例えば交換や運ぶために、ウォータークラフトからフィンを取り外すためには、フィンの後部を上向きにピボット動作させ、再びロッド４０３０を屈曲させ、フィンプラグ・キャビティから固定機構を“スナップ（引っかかり）”を解除する。即ち、本質的には、図１５Ａ〜図１５Ｃに示した挿入手順とは逆の手順である。ウォータークラフトの使用中に意図せざる脱離の恐れが小さくなる。使用時には通常フィンが叩き出される角度になっていないからである。
【０１０２】
このカートリッジ実施態様では、カートリッジを各種の異なるフィン構成に、あるいは保存フックなどの他の装置に装着することができ、工具の使用から発生する費用が少なくて済む。
【０１０３】
図１６Ａ〜図１６Ｃに、別な実施態様を示す。この実施態様では、固定機構の弾性ロッド４０３０および突出部材４０３５を、フィンベースに装着したカートリッジではなく、フィンベース部分４０１８内に直接装着する。それ以外は、図１６Ａ〜図１６Ｃの構成および操作は、図１３Ａ〜図１５Ｄと同様である。
【０１０４】
図１２Ａ〜図１６Ｃの実施態様では、横ピン４０１９を使用する。この横ピンは長手方向トラック４０２１に係合し、フィンベースの正面をフィンプラグ・キャビティ内に固定する。なお、本明細書の開示は、この機能を実現する他の機構にも拡張できる。例示すると、図１Ａ〜図１１Ｄの凹部８５および突出部８０と同様な機構、あるいはフィンプラグ・キャビティの棚状の突出部分とベース面との間に形成され、例えばＷＯ２０１４/００８５２９の図１２Ａ〜図１２Ｈに示されているようにフィン部分を受け入れる凹部などである。
【０１０５】
本発明の第１態様のフィンプラグの場合は、本発明の第２態様のウォータークラフト・フィン（例えばサーフボード・フィンなど）を主に使用対象として、このようなフィンを（工具を使用せずに）フィンプラグに容易かつ好便に着脱するものであるが、このような使用対象には限られない。例えば、上記のフィンの着脱と実質的に同様に、他のウォータークラフト取り付け装置を対応するフィンプラグに選択的に着脱してもよい。
【０１０６】
このような他のウォータークラフト取り付け装置の実例は、例えばＷＯ２０１４/００８５２９の図２９Ａ〜図２９Ｈの例示されているようなハンガー/フック装置（図示省略）である。なお、このフックの場合、サーフボード（や他のウォータークラフト）に接続すると、サーフボード（や他のウォータークラフト）を水平の支持ロッド（または同様な構造体）から吊り下げ、この状態で維持できる。
【０１０７】
フック装置のベース部分については、例えば図１２Ａ〜１２Ｃに示す固定機構カートリッジを受け入れることができるように構成するか、あるいは図１６Ａ〜１６Ｃに示すフィンベースと同様な機構でバイアス作用ロッドおよび突出部材を直接受け入れることができるように構成することができる。
【０１０８】
なお、フィンプラグ１０には多数の異なる材料を使用できるが、ＡＢＳ（アクリロニトリル/ブタジエン/スチレンやその他のプラスチック）あるいはザイテル（Ｚｙｔｅｌ（登録商標））から形成することができる。また、ロッド３０または４０３０は、例えば高品位ステンレス鋼やチタンなどの任意の弾性材から形成してもよい。これらはウォータークラフトを強靭化する弾性材である。一般に劣化もせず、または錆びることもないからである。拡大部分３５または４０３５にも同じ強靭な材料を使用することができる。なお、装置１０は射出成形できる。
【０１０９】
また、カートリッジ本体も多数の異なる材料から形成することが可能である。例えば、カートリッジ本体は射出成形プラスチックで形成でき、好ましい材料例はガラス充填ナイロン、ＡＢＳ、アセタールである。
【０１１０】
また、以上説明してきたフック装置も多数の異なる材料から形成することができる。例えば、比較的廉価で、サーフボード（やその他のウォータークラフト）を支持ロッドから吊り下げ支持するのに十分な強さをもつ適当なプラスチック材からこの装置は形成することができる。
【０１１１】
本明細書で使用する垂直、上下、左右などの方向、または回転を示す述語は、特に文脈が要求しない限り、絶対的な方向または回転ではなく、対応する図面における方向または回転と解釈すべきである。
【０１１２】
また、“有する（ｃｏｍｐｒｉｓｉｎｇ）”は開かれた意味であり、“のみからなる（ｃｏｎｓｉｓｔｉｎｇ  ｏｎｌｙ  ｏｆ）”といった閉じられた意味ではない。“有する”に対応する述語もついても同様である。
【０１１３】
本明細書に開示した発明は、本明細書において説明した、あるいは本明細書から明白な個々の特徴の２つかそれ以上の組み合わせからなるものすべてに拡張可能である。
【０１１４】
本発明の具体的な実施態様を説明してきたが、当業者ならば、本質的な特徴から逸脱することなく、他の具体的な形態において本発明を実施できることを理解できるはずである。従って、説明してきた本発明の実施態様および実施例は、あらゆる点において例示であり、制限的なものではなく、当業者にとって自明な一部の変更は本発明の包含されるものである。
【符号の説明】
【０１１５】
１０：フィンプラグ、装置
１５：第１フィン部分
２０：第１キャビティ
２５：キャビティ壁
３０：弾性部材、ロッド
３５：拡大部分、車輪状部材
４０、８５：凹部
４５：球根状部分
５０：フィン
５５：エンドプラグ
５５、６０：キャップ
５７：サイドキャップ
６５：溝付き部分、溝
７０：サイドフィン面
７５：第２キャビティ
８０：突出部分
９０：第２フィン部分
４０００：固定機構カートリッジ
４００２：カートリッジ本体
４０１８：ベース部分
４０３０：バイアス作用ロッド、弾性ロッド
４０３５：突出部材
４０５０：フィン
【図１Ａ】
0006549606.tif 000002
【図１Ｂ】
0006549606.tif 000003
【図２Ａ】
0006549606.tif 000004
【図２Ｂ】
0006549606.tif 000005
【図２Ｃ】
0006549606.tif 000006
【図２Ｄ】
0006549606.tif 000007
【図２Ｅ】
0006549606.tif 000008
【図２Ｆ】
0006549606.tif 000009
【図２Ｇ】
0006549606.tif 000010
【図２Ｈ】
0006549606.tif 000011
【図２Ｉ】
0006549606.tif 000012
【図３Ａ】
0006549606.tif 000013
【図３Ｂ】
0006549606.tif 000014
【図３Ｃ】
0006549606.tif 000015
【図４Ａ】
0006549606.tif 000016
【図４Ｂ】
0006549606.tif 000017
【図４Ｃ】
0006549606.tif 000018
【図４Ｄ】
0006549606.tif 000019
【図４Ｅ】
0006549606.tif 000020
【図４Ｆ】
0006549606.tif 000021
【図４Ｇ】
0006549606.tif 000022
【図５Ａ】
0006549606.tif 000023
【図５Ｂ】
0006549606.tif 000024
【図５Ｃ】
0006549606.tif 000025
【図５Ｄ】
0006549606.tif 000026
【図５Ｅ】
0006549606.tif 000027
【図５Ｆ】
0006549606.tif 000028
【図５Ｇ】
0006549606.tif 000029
【図６Ａ】
0006549606.tif 000030
【図６Ｂ】
0006549606.tif 000031
【図６Ｃ】
0006549606.tif 000032
【図６Ｄ】
0006549606.tif 000033
【図６Ｅ】
0006549606.tif 000034
【図６Ｆ】
0006549606.tif 000035
【図６Ｇ】
0006549606.tif 000036
【図６Ｈ】
0006549606.tif 000037
【図６Ｉ】
0006549606.tif 000038
【図６Ｊ】
0006549606.tif 000039
【図６Ｋ】
0006549606.tif 000040
【図６Ｌ】
0006549606.tif 000041
【図６Ｍ】
0006549606.tif 000042
【図６Ｎ】
0006549606.tif 000043
【図６Ｏ】
0006549606.tif 000044
【図６Ｐ】
0006549606.tif 000045
【図７Ａ】
0006549606.tif 000046
【図７Ｂ】
0006549606.tif 000047
【図７Ｃ】
0006549606.tif 000048
【図７Ｄ】
0006549606.tif 000049
【図８Ａ】
0006549606.tif 000050
【図８Ｂ】
0006549606.tif 000051
【図８Ｃ】
0006549606.tif 000052
【図８Ｄ】
0006549606.tif 000053
【図９Ａ】
0006549606.tif 000054
【図９Ｂ】
0006549606.tif 000055
【図９Ｃ】
0006549606.tif 000056
【図９Ｄ】
0006549606.tif 000057
【図９Ｅ】
0006549606.tif 000058
【図９Ｆ】
0006549606.tif 000059
【図９Ｇ】
0006549606.tif 000060
【図９Ｈ】
0006549606.tif 000061
【図１０Ａ】
0006549606.tif 000062
【図１０Ｂ】
0006549606.tif 000063
【図１０Ｃ】
0006549606.tif 000064
【図１０Ｄ】
0006549606.tif 000065
【図１１Ａ】
0006549606.tif 000066
【図１１Ｂ】
0006549606.tif 000067
【図１１Ｃ】
0006549606.tif 000068
【図１１Ｄ】
0006549606.tif 000069
【図１２Ａ】
0006549606.tif 000070
【図１２Ｂ】
0006549606.tif 000071
【図１２Ｃ】
0006549606.tif 000072
【図１３Ａ】
0006549606.tif 000073
【図１３Ｂ】
0006549606.tif 000074
【図１３Ｃ】
0006549606.tif 000075
【図１３Ｄ】
0006549606.tif 000076
【図１４Ａ】
0006549606.tif 000077
【図１４Ｂ】
0006549606.tif 000078
【図１４Ｃ】
0006549606.tif 000079
【図１４Ｄ】
0006549606.tif 000080
【図１４Ｅ】
0006549606.tif 000081
【図１５Ａ】
0006549606.tif 000082
【図１５Ｂ】
0006549606.tif 000083
【図１５Ｃ】
0006549606.tif 000084
【図１５Ｄ】
0006549606.tif 000085
【図１６Ａ】
0006549606.tif 000086
【図１６Ｂ】
0006549606.tif 000087
【図１６Ｃ】
0006549606.tif 000088